(57)【要約】【課題】  自家発電により水周りにイオンを発生させ、周囲空間にリラックス効果や除菌・脱臭効果を達成させるイオン発生ユニットを提供する。【解決手段】流体管２を流れる流体から発電手段３により電力を得、この発電手段３により得られた電力をイオン発生装置４に供給するようにし、商用電源を必要としない上に、周囲空間にマイナスイオンを放出することにより得られるリラックス効果や、プラスイオンとマイナスイオンの略同数を周囲空間に放出することで除菌効果や脱臭効果をもたらす健康に害を与えない自然浄化効果が得られる。【選択図】  図１
2005087448.tif 000002
【特許請求の範囲】
【請求項１】
流体が流れる流体管と、該流体管に設けられプラスイオンとマイナスイオンの一方または両方を発生させるイオン発生装置と、電力を発生させる発電手段とを備え、前記イオン発生装置が前記発電手段により得られた電力により駆動され、前記流体管の周囲に放出することを特徴とするイオン発生ユニット。
【請求項２】
前記発電手段は、前記流体管を流れる流体の流力を利用して発電することを特徴とする請求項１に記載のイオン発生ユニット。
【請求項３】
前記イオン発生装置により発生したイオンを周囲に拡散させる拡散手段を備えたことを特徴とする請求項１又は２に記載のイオン発生ユニット。
【請求項４】
音を発生する音発生装置が付設されたことを特徴とする請求項１、２又は３に記載のイオン発生ユニット。
【請求項５】
芳香を発生する芳香発生器が付設されたことを特徴とする請求項１〜４のいずれか一項に記載のイオン発生ユニット。
【請求項６】
前記イオン発生装置に、音を発生する音発生装置と、芳香を発生する芳香発生器とのうち、少なくとも一方が組み込まれたことを特徴とする請求項１〜３のいずれか一項に記載のイオン発生ユニット。
【請求項７】
前記イオン発生装置が着脱自在に設けられたことを特徴とする請求項１〜６のいずれか一項に記載のイオン発生ユニット。
【請求項８】
前記流体管の管端に水道管に連結可能な連結部を有することを特徴とする請求項１〜７のいずれか一項に記載のイオン発生ユニット。
【請求項９】
前記流体管が水道蛇口に連結可能な蛇口連結部を有することを特徴とする請求項１〜７のいずれか一項に記載のイオン発生ユニット。
【請求項１０】
前記イオン発生装置を駆動するのに必要な電力を補助する補助電源を備えたことを特徴とする請求項１〜９のいずれか一項に記載のイオン発生ユニット。
【請求項１１】
前記補助電源が前記発電手段により得られる余剰電力を蓄電する蓄電池であることを特徴とする請求項１０に記載のイオン発生ユニット。
【発明の詳細な説明】
【技術分野】
【０００１】
本発明は、イオン発生ユニットに関し、特に上水道等の水周りに設置して周囲にイオンは発生させるイオン発生ユニットに関する。
【背景技術】
【０００２】
近年、人体に有害な空気中の浮遊細菌や、いやな臭いを取り除いて、快適な生活を望む傾向にあり、それを実現する従来技術として特許文献１〜４に示すような技術が開示されている。
【０００３】
特許文献１は、プラスイオンとマイナスイオンを発生させて、化学反応によって生じる除菌の効果をもたせている。
【０００４】
特許文献２は、プラスイオンとマイナスイオンを発生させて、臭い分子及び有害分子に作用して無臭化および無害化する効果をもたせている。
【０００５】
特許文献３は、水周りにおけるイオン発生手段に関するもので、イオン交換膜を介して配設された陽電極と陰電極とを有する電解槽と、この電解槽を流れる水道水の水流により発電し、発電した電力を前記電極に供給してアルカリイオン水を得ることが記載されている。
【０００６】
特許文献４は、水周りにおける除菌・消臭技術に関するもので、水流により発電し、発電した電力によりオゾン発生装置を駆動させることが記載されている。
【特許文献１】特開２００２−９５７３１号公報
【特許文献２】特開２００３−１２３９４０号公報
【特許文献３】特開平７−６８２６４号公報
【特許文献４】特開２００３−１３５９４４号公報
【発明の開示】
【発明が解決しようとする課題】
【０００７】
しかしながら、特許文献１および特許文献２では水周りの除菌・消臭効果について考慮されていない。また、特許文献３では、アルカリイオン水を得ることを目的としており、周囲空間にイオンを放出することができなかった。
【０００８】
特許文献４では、オゾン水を得ることを目的としており、周囲空間にオゾンを空気中で生成しているが、水に溶解させるため、周囲空間に放出することがなかった。そして、特許文献４では、万一、故障などによりオゾンが空気中に放出された場合、オゾン濃度が高いと、鼻や喉に強い刺激があるなど健康を損なうおそれがあった。
【０００９】
本発明は、このような従来の課題を解決し、流体流の流力を利用して発電した電力を利用してイオン発生装置を駆動させ、周囲空間にマイナスイオンを放出することにより得られるリラックス効果や、プラスイオンおよびマイナスイオンを略同数周囲空間に放出することで除菌効果や脱臭効果を達成させ、人体に害を与えない自然浄化効果を得ることを目的としている。
【課題を解決するための手段】
【００１０】
上記目的を達成するため、本発明は、流体が流れる流体管と、該流体管に設けられプラスイオンとマイナスイオンの一方または両方を発生させるイオン発生装置と、電力を発生させる発電手段とを備え、前記イオン発生装置が前記発電手段により得られた電力により駆動され、前記流体管の周囲に放出することを特徴とするイオン発生ユニットを提供するものである。
【００１１】
上記構成によると、イオン発生装置により発生したイオンを上下水道等の周囲環境に放出してリラックス効果や、除菌・脱臭効果を果たすことができる。その際、イオン発生装置を駆動する電源は、イオン発生装置と共にユニット化された発電手段の発電電力を利用しているので、近くに商用電源がなくてもイオン発生ユニットの設置が容易に行える。
【００１２】
この発電手段としては、太陽光や風力などの自然現象を利用して発電する以外に、共にユニット化された流体管を流れる流体の流力（流体エネルギー）を利用することもできる。これにより、発電装置自体も小型化でき、イオン発生ユニット全体としても小型化できる。
【００１３】
また、上記イオン発生ユニットには、イオン発生装置により発生したイオンを周囲に拡散させる拡散手段を備えることもできる。これにより、イオン発生ユニットの周囲環境に効果的にイオンを放出することができる。
【００１４】
また、これらのイオン発生ユニットには、音を発生する音発生装置や、芳香を発生する芳香発生器を付設することができ、また、これらをイオン発生装置内に組み込むこともできる。これにより、音楽やアロマテラピーによるリラックス効果を付加し、あるいは高めることができる。
【００１５】
さらに、イオン発生装置をユニット本体に対して着脱自在に取り付けることもできる。これにより、イオン発生装置の故障時のメンテナンス性も向上させることができる。特に、イオン発生装置に、音を発生する音発生装置や芳香を発生する芳香発生器を組み込んだ場合、使用者が自分の音楽や香りの好みに合せて自由に取り替えることができる。
【００１６】
上記イオン発生ユニットは、流体管の接続態様により種々の使用態様を採ることができる。例えば、流体管の管端に水道管に連結可能な連結部を有する構成を採用することで、プールやトイレの露出配管部分に設置して、その周囲環境にイオンを放出することができる。また、流体管が水道蛇口に連結可能な蛇口連結部を有する構成を採用することにより、蛇口周辺にイオンを発生することができる。
【００１７】
また、前記発電手段以外に、イオン発生装置を駆動するのに必要な電力を補助する補助電源を備えることもできる。これにより、流体管に流体が流れる量が少なく、発電手段ではイオン発生装置を駆動するのに十分な電力を得られない場合でも、補助電源により電力を補うことができ、イオン発生装置を駆動することができる。
【００１８】
この補助電源として、太陽電池や乾電池など以外に、前記発電手段により得られる余剰電力を蓄電する蓄電池を備えることが好ましい。これにより、流体エネルギーを利用して発電した余剰電力を有効に利用することができる。さらに発電手段が動作していないときは、補助電源からの電力が供給されないようにすることで、補助電源の無駄な電力消費を抑えることができる。
【発明の効果】
【００１９】
本発明によれば、流体管を流れる流体から電力を得る発電手段を備え、該発電手段により得られた電力をイオン発生装置に供給するので、商用電源を必要としない上に、周囲空間にマイナスイオンを放出することにより得られるリラックス効果や、プラスイオンとマイナスイオンの略同数を周囲空間に放出することで除菌効果や脱臭効果をもたらす人体に害を与えない自然浄化効果を得られる。
【発明を実施するための最良の形態】
【００２０】
以下、本発明に係るイオン発生ユニットの実施形態を図面に基づいて説明する。
＜第１の実施の形態＞
図１は本発明の第１の実施形態を示す水道管型のイオン発生ユニットの全体図、図２は発電手段の断面図、図３はイオン発生装置の斜視図、図４は同じくイオン発生素子の断面図である。
【００２１】
図に示すように、本実施形態のイオン発生ユニット１は、流体である水が流れる水道管の途中に連結される流体管２と、流体管２を流れる水流から電力を得る発電手段３と、プラスイオンとマイナスイオンの一方または両方を発生せしめるイオン発生装置４と、イオンを拡散する拡散手段５と、これらを覆うケーシング６とから構成され、これら部材がユニット化されてなるものである。
【００２２】
流体管２は、例えば金属やポリエチレン等のプラスチック樹脂を原材料とする管状のものである。流体管２の両側の管端には水道管に連結可能な連結部２ａを備えている。この連結部２ａは、水道管の管端に嵌合（内嵌又は外嵌）可能な径を有しており、締め付けバンドなどで水道管と一体的に連結し、その継ぎ目にシール材を充填して水密性を保てるようになっている。
【００２３】
発電手段３は、図２に示すように、流体管２の途中の拡径部に内蔵されている。発電手段３は、流体管２を流れる水流により回転する羽根車７と、該羽根車の回転軸８に接続される発電機９とから構成される。発電機９は、流体管２の内部に支持棒１０で支持されたケース１１と、このケースに内蔵されロータ１２およびステータ１３とから構成される。
【００２４】
ロータ１２は、前記羽根車７の回転軸８に固定された永久磁石から構成される。ステータ１３は、ロータ１２の周囲に配設されたコイル状のものであって、ロータ１２の回転により発生した起電力を支持棒１０内からリード線を介して流体管２の外部のコネクタ１４に引き出し、イオン発生装置４の電源として利用できるようになっている。また、流体は、支持棒１０と流体管２の拡径部との間の空間を通って羽根車側に流れるようになっている。図２にその水流を矢印で示す。
【００２５】
なお、図示しないが、発電手段３には、ステータ１３から引き出した交流電力を整流平滑化し、イオン発生装置４の電源として、平準化された適切な電圧、電流並びに周波数に変換する周知の電力変換装置を含むものである。
【００２６】
発電手段３で得られた電力は、流体管２の外部のコネクタ１４から配線１５を経て配線の他端にあるコネクタ１６を介してイオン発生装置４に供給される。
【００２７】
イオン発生装置４は、発電手段３によって得られた電力により駆動されるものである。このイオン発生装置４は、図３に示すように、昇圧コイル、回路基板などを内蔵するケース１８と、その開口を覆う蓋板１９と、蓋板１９の表面側に配設されたイオン発生素子２０とから構成される。
【００２８】
イオン発生素子２０は、図４に示すように、セラミックなどの平板状の誘電体２１の表面に設けられた表面電極２２と、該表面電極に電力を供給するため誘電体２１の表面に設けられる表面電極接点２３と、誘電体２１の内部に埋設され、かつ前記表面電極２２と平行にもうけられた内部電極２４と、該内部電極２４に電力を供給するため誘電体２１の表面に設けられる内部電極接点２５とを有している。誘電体２１は、上部誘電体２１ａ、下部誘電体２１ｂ、表面保護誘電体２１ｃにより構成される。
【００２９】
このイオン発生素子２０の表面電極、内部電極間に交流電圧を印加すると、空気中の酸素ないしは水分が電離によりエネルギーを受けてイオン化し、プラスイオンであるＨ+(Ｈ２Ｏ)m（ｍは任意の自然数）とマイナスイオンであるＯ２-(Ｈ２Ｏ)n（ｎは任意の自然数）を主体としたイオンを生成し、これらをファン等により空間に放出させる。
【００３０】
これらＨ+(Ｈ２Ｏ)m及びＯ２-(Ｈ２Ｏ)nは、浮遊菌の表面に付着し、化学反応して活性種であるＨ２Ｏ２または・ＯＨを生成する。Ｈ２Ｏ２または・ＯＨは、極めて強力な活性を示すため、これらにより、空気中の浮遊細菌を取り囲んで不活化することができる。ここで、・ＯＨは活性種の１種であり、ラジカルのＯＨを示している。
【００３１】
プラスイオンおよびマイナスイオンは浮遊細菌の細胞表面で式（１）〜式（３）に示すように化学反応して、活性種である過酸化水素（Ｈ２Ｏ２）または水酸基ラジカル（・ＯＨ）を生成する。ここで、式（１）〜式（３）において、ｍ、ｍ’、ｎ、ｎ’は任意の自然数である。これにより、活性種の分解作用によって浮遊細菌が破壊される。従って、効率的に空気中の浮遊細菌を不活化、除去することができる。
【００３２】
Ｈ+(Ｈ２Ｏ)m＋Ｏ２-(Ｈ２Ｏ)n→・ＯＨ＋１/２Ｏ２＋(m+n)Ｈ２Ｏ ・・・（１）
Ｈ+(Ｈ２Ｏ)m＋Ｈ+(Ｈ２Ｏ)m'＋Ｏ２-(Ｈ２Ｏ)n＋Ｏ２-(Ｈ２Ｏ)n'→ ２・ＯＨ＋Ｏ２＋(m+m'+n+n')Ｈ２Ｏ ・・・（２）
Ｈ+(Ｈ２Ｏ)m＋Ｈ+(Ｈ２Ｏ)m'＋Ｏ２-(Ｈ２Ｏ)n＋Ｏ２-(Ｈ２Ｏ)n'→ Ｈ２Ｏ２＋Ｏ２＋(m+m'+n+n')Ｈ２Ｏ ・・・（３）
以上のメカニズムにより、上記プラスイオンおよびマイナスイオンの放出により、浮遊菌等の不活化効果を得ることができる。
【００３３】
また、上記式（１）〜式（３）は、空気中の有害物質表面でも同様の作用を生じさせることができるため、活性種である過酸化水素（Ｈ２Ｏ２）または水酸基ラジカル（・ＯＨ）が、有害物質を酸化若しくは分解して、ホルムアルデヒドやアンモニアなどの化学物質を、二酸化炭素や、水、窒素などの無害な物質に変換することにより、実質的に無害化することが可能である。
【００３４】
なお、本発明者らの実験によると、イオン発生装置４に交流インパルス電圧を印加すれば、イオン発生素子２０の表面電極側よりプラスイオンおよびマイナスイオンを発生させ［ピーク  トウ  ピーク３．５ｋＶ、波形周期１６５Ｈｚの印加条件、イオン吹出し口前方１０ｃｍ付近で、（株）ダン化学製空気イオンカウンター（型番８３−１００１Ｂ）を用い、移動度１ｃｍ２／ｓｅｃ以上の小イオンを検出するもので測定すると、プラスイオンおよびマイナスイオンがそれぞれ約１０万個／ｃｃ以上］、プラスイオンおよびマイナスイオンを機器本体外に送り出することができる。そして、これらのプラスイオンおよびマイナスイオンの作用により空気中のカビや菌を不活化し、その増殖を抑制することができる。
【００３５】
その他、プラスイオンとマイナスイオンには、コクサッキーウィルス、ポリオウィルス、などのウィルス類も不活化する働きがあり、これらウィルスの混入による汚染が防止できる。また、プラスイオンおよびマイナスイオンには、臭いの元となる分子を分解する働きがあることも確かめられており、空間の脱臭にも利用できる。
【００３６】
また、イオン発生装置４は、制御部（図示略）を備えており、該制御部からの制御信号によりイオン発生素子２０の電極間に印加する電位を可変できるようになっており、これにより、イオン発生素子２０から発生するプラスイオンとマイナスイオンを略同量あるいはマイナスイオンを多く発生する方向にシフトできるようになっている。
【００３７】
なお、イオン発生装置４は、流体管２の外側にネジなどにより着脱自在に固定されており、ケーシング６の開放により取替え可能となっている。
【００３８】
また、イオン発生素子２０から発生したプラスイオンとマイナスイオンは、ケーシング６内に放出され、イオン発生装置４の近傍に設けた拡散手段５により、ケーシング６に形成されたイオン吹出し口２６から周囲に放出される。この拡散手段５は、ファン２７およびファンモータ（図示略）から構成される。なお、図示しないが、ファンモータの駆動電源は、イオン発生装置４と同様に発電手段３により得られた電力を外部コネクタに配線を介して引き出された電力を利用できるようになっている。
【００３９】
ケーシング６は、流体管２、発電手段３、イオン発生装置４および拡散手段５を覆う直管状のもので、内部空間がイオン発生装置４から発生したイオン風の通路として機能する。このケーシングの一部には、イオン発生素子２０から発生したイオンを外部に吹き出す吹出し口２６が形成されている。
【００４０】
上記構成において、流体管２に水が流れると、発電手段３に具備された羽根車７が回転し、発電機９のロータ１２も回転するので電力が得られる。この電力は流体管２の外部コネクタ１４に引き出され、配線１５からコネクタ１６を経てイオン発生装置４に供給される。供給された電力により、イオン発生装置４が駆動を開始し、イオンを放出する。プラスイオンとマイナスイオンの一方または両方のうち、どれを発生させるかはイオン発生装置４に組み込まれている制御部（図示しない）によって決定される。
【００４１】
また、得られた電力は拡散手段５にも供給され、モータ（図示略）が回転することによりファン２７も回転し、風の流れが生まれる。この風の流れによりイオン風が発生し、吹出し口２６から外部に拡散する。    
【００４２】
次に、イオン発生ユニット１の使用態様を図５及び図６に示す。図５は本実施形態のイオン発生ユニット１の使用例としてトイレ洗浄装置に接続した状態を示す斜視図である。図に示すように、貯水タンク３０と便器３１の間には水道管３２と水道管型イオン発生ユニット１が接続されている。
【００４３】
貯水タンク３０に水が貯水された水は、所定量を超えると、貯水タンク３０から水が放出される。放出された水は、水道管３２と、水道管３２の途中に接続された水道管型イオン発生ユニット１とを通り、便器３１に流れる。イオン発生ユニット１は、貯水タンク３０から流れた水により、イオンを放出するようになる。これにより、トイレの脱臭・除菌効果やリラックス効果が得られる。
【００４４】
図６は、同じく使用態様としてプール等に設置されているシャワーに取り付けた状態を示す斜視図である。シャワーは、水道管３３と水道管３３の間に連結された水道管型イオン発生ユニット１とシャワーヘッド３５とから形成されている。シャワーヘッド３５から水が放出されると、水道管型イオン発生ユニット１に水が流れ、水道管型イオン発生ユニット１はイオンを放出するようになる。これにより、シャワー周辺における脱臭・除菌効果やリラックス効果が得られる。
【００４５】
以上、本実施形態では、水の流れを利用した自家発電で得た電力によりイオン発生装置４を駆動させ、イオンを発生させる。漏電防止のため、水周り近くには、商用電源が設置されていないことが多いが、自家発電で動作する水道管型イオン発生ユニット１は、商用電源から電力を得ないで済むため、電源コードの延長など手間がなく、設置する場合に非常に便利である。
【００４６】
また、イオン発生装置４は、流体管２から着脱できるようになっているため、イオン発生装置４が故障した場合、水道の元栓を締めて、水道管型イオン発生ユニット１を丸ごと全部取り替える必要がなく、イオン発生装置４を取り替えるだけで済む。そのため、メンテナンス性の向上とコスト低減が図れる。また、拡散手段５により、発生したイオンを風に乗せて、遠くまで飛ばすことができる。
【００４７】
なお、発電手段３の発電方法や流体管２への取り付け位置、イオン発生装置４の流体管２への取り付け位置、発電手段３とイオン発生装置４との接続方法、流体管の管径などは本実施形態に限定されるものではない。また、拡散手段の構成は本実施例に限定されるものではなく、プロペラファン、クロスフローファン、シロッコファン等、そのファンの形態はいずれであってもよく、また、板状の部材を団扇のように扇ぐ構造にしてもよい。
【００４８】
また、拡散手段のファンを回転させる手段を水流から得ても良く、この場合は、発電手段３から得られる電力をすべてイオン発生装置４に注ぐことができるので、効率的である。また、流体も水に限るものではなく、ガス等でも良い。さらに、イオン発生装置４は脱着式ではなく、完全に流体管２に固定してもかまわない。水道管型イオン発生ユニット１の利用方法も本実施形態に限定されるものではなく、家庭用シャワー、下水道への応用も可能である。特に下水道に応用する場合、都会の下水はほとんど絶えることなく流れており、絶えず電力が得られるため、下水臭の脱臭や除菌に大きな効果が期待できる。
【００４９】
また、イオン発生ユニット１には、音を発生する音発生装置や、芳香を発生する芳香発生器を付設することもできる。これにより、音楽やアロマテラピーによるリラックス効果を付加し、あるいは高めることができる。
【００５０】
音発生装置はメロディーを奏でるものを採用した場合、メロディＩＣと小型スピーカを利用したり、圧電ブザーを利用することもできる。あるいは小型のオルゴールを利用し、水が流れるとドラムが回転して音を発生するように構成することができる。
【００５１】
芳香発生器は、ヒーターなどで香料を熱し、気化させて散布する態様も可能である。いずれの場合も電源が必要ならば、発電手段によって得られた電力を利用すればよい。
【００５２】
また、イオン発生装置４のケース１８に、これら音発生装置あるいは芳香発生器を組み込み、個々のユーザーの好みに合せてイオン発生装置４を取り替え、好みに合せたイオン発生装置を組み込むことができる。
【００５３】
＜第２の実施形態＞
図７は本発明の第２の実施形態を示す蛇口ヘッド型のイオン発生ユニット１の全体図である。蛇口ヘッド型のイオン発生ユニット１は、上記第１の実施形態と基本的な構成を同一とし、流体管２、発電手段３、イオン発生装置４、拡散手段５、およびケーシング６から構成され、これらの部材がユニット化されてなるものである。
【００５４】
ただ、蛇口ヘッド型のイオン発生ユニット１であり、水道の蛇口に連結するものであるため、第１の実施形態と異なり、流体管２の一端に蛇口連結部２ｂが形成されている。この蛇口連結部２ｂは、水道の蛇口の径に合せて、蛇口を水密状態で内嵌連結できる径を有し、外部からネジなどにより蛇口を係止して抜け止めができるようになっている。流体管２の他端は開放状態とされ、必要に応じてシャワー放水とストレート放水が切り替えられる切替え手段が付設されている。
【００５５】
また、ケーシング６は、蛇口の周囲を覆う円筒状あるいはドーム状に形成され、その周囲にイオン吹出し口２６が形成されている。
【００５６】
上記構成において、水道の蛇口周辺にイオン発生装置４で発生したイオンを放出することができ、第１の実施形態と同様に、リラックス効果や除菌・消臭効果を発揮することができる。
【００５７】
また、本実施形態の蛇口ヘッド型のイオン発生ユニット１３の利用方法として、流し台や風呂用シャワーに使用することができる。その他の構成および作用効果は、上記第１の実施形態と同様であるので、その説明は省略する。
【００５８】
＜第３の実施形態＞
図８は本発明の第３の実施形態を示す水道管型のイオン発生ユニットの全体図である。本実施形態は、上記第１の実施形態と比較して補助電源を設けた点を特徴としており、その他の基本的構成は、第１の実施形態と同様である。
【００５９】
すなわち、本実施形態の水道管型のイオン発生ユニット１は、流体管２、発電手段３、イオン発生装置４、拡散手段５およびケーシング６とを備え、さらに、イオン発生装置４および拡散手段５を駆動するのに必要な電力を補助するために補助電源を設けたものである。
【００６０】
補助電源としては、乾電池や太陽電池であってもよいが、本実施形態では、蓄電池３７を用い、該蓄電池３７を流体管２の外部に設置されている。この蓄電池３７には、コネクタ３８、配線３９およびコネクタ４０によりイオン発生装置４と電気的に接続されている。
【００６１】
また、本実施形態では、イオン発生装置４の電源として、発電手段３による電力供給と蓄電池３７からの電力供給を併用しているので、これらを併用したり、あるいは切替えたりするための複合電力制御部（図示略）が設けられている。
【００６２】
この複合電力制御部では、発電手段からの供給電圧を検出し、所定電圧に達していないときに蓄電池３７からの電力供給を併用する制御を行う。また、複合電力制御部では、発電手段３が駆動していないときは、蓄電池３７からの電力を供給しないように制御する。さらに、複合電力制御部は、発電手段３により得られる電力のみでイオン発生装置４と拡散手段５を駆動でき、さらに余剰電力がある場合は、イオン発生装置４からコネクタ４０、配線３９、コネクタ３８を介して余剰電力を蓄電池３７に蓄電できるようになっている。
【００６３】
なお、イオン発生装置４および蓄電池３７の電気的接続関係は、発電手段３の電力変換装置（図示略）を介して蓄電池３７と、負荷となるイオン発生装置４および拡散手段５の並列接続体を並列接続するように配線してもよい。この場合、発電手段３の余剰電力を蓄電池３７に蓄電するには、発電手段側の電圧が蓄電池側よりも高い方が効率的に蓄電できるため、電力変換装置に昇圧回路を介在させることが好ましい。
【００６４】
また、イオン発生装置４と蓄電池３７は、ネジなどにより流体管２に着脱可能に取り付けられ、取替え可能となっている。その他の構成は上記第１の実施形態と同様であるので、その説明は省略する。
【００６５】
上記構成において、水量が足りないなどで発電手段３により得られる電力のみではイオン発生装置４を駆動できない場合は、蓄電池３７からイオン発生装置４に電力を補充してイオン発生装置４および拡散手段５を駆動する。また、逆に水量が多いなどで余剰電力が発生した場合、余剰電力を蓄電池３７に蓄電する。
【００６６】
このように、流体管に流体が流れる量が少なく、発電手段ではイオン発生装置４を駆動するのに十分な電力を得られない場合でも、補助電源により電力を補うことができ、また、発電手段により得られる余剰電力を蓄電する蓄電池を備えるので、流体エネルギーを利用して発電した電力を有効に利用することができる。その他の構成・作用効果は上記第１の実施形態と同様であるので、その説明を省略する。
【００６７】
＜第４の実施形態＞
図９は本発明の第４の実施形態を示す蛇口ヘッド型のイオン発生ユニットの全体図である。図に示すように、本実施形態の蛇口ヘッド型のイオン発生ユニット１は、上記第２の実施形態と比較して補助電源として蓄電池３７を設けた点を特徴としている。
【００６８】
すなわち、本実施形態の蛇口ヘッド型のイオン発生ユニット１は、流体管２、発電手段３、イオン発生装置４、拡散手段５およびケーシング６とを備え、さらに、イオン発生装置４および拡散手段５を駆動するのに必要な電力を補助するために補助電源として、蓄電池３７を設けたものである。
【００６９】
その蓄電池の設置による作用効果は、上記第３の実施形態と同様である。また、基本的構成は上記第２の実施形態と同様であり、その作用効果も第２の実施形態と同様であるので、その説明を省略する。
【図面の簡単な説明】
【００７０】
【図１】本発明の第１の実施形態を示す水道管型のイオン発生ユニットの全体図
【図２】発電手段の断面図
【図３】イオン発生装置の斜視図
【図４】イオン発生素子の断面図
【図５】イオン発生ユニットをトイレ洗浄装置に接続した状態を示す斜視図
【図６】イオン発生ユニットをプール等に設置されているシャワーに取り付けた状態を示す斜視図
【図７】本発明の第２の実施形態を示す蛇口ヘッド型のイオン発生ユニット１の全体図
【図８】本発明の第３の実施形態を示す水道管型のイオン発生ユニットの全体図
【図９】本発明の第４の実施形態を示す蛇口ヘッド型のイオン発生ユニットの全体図
【符号の説明】
【００７１】
１       水道管型イオン発生ユニット
２       流体管
２ａ      連結部
２ｂ      蛇口連結部
３       発電手段
４       イオン発生装置
５       拡散手段
６        ケーシング
７        羽根車
８        回転軸
９        発電機
１０      支持棒
１１      ケース
１２      ロータ
１３      ステータ
１４      コネクタ
１５      配線
１６      コネクタ
１８      ケース
１９      蓋板
２０      イオン発生素子
２１      誘電体
２２      表面電極
２３      表面電極接点
２４      内部電極
２５      内部電極接点
３０      貯水タンク
３１      便器
３２      水道管
３３      水道管
３５      シャワーヘッド
３７     蓄電池
【図１】
2005087448.tif 000003
【図２】
2005087448.tif 000004
【図３】
2005087448.tif 000005
【図４】
2005087448.tif 000006
【図５】
2005087448.tif 000007
【図６】
2005087448.tif 000008
【図７】
2005087448.tif 000009
【図８】
2005087448.tif 000010
【図９】
2005087448.tif 000011